(57)【要約】【課題】  多種多様な大きさのタバコ箱及びライタに対応して容易にタバコ箱とライタを一体にして保持でき、かつ着脱が簡便で繰り返し使用可能なタバコ箱とライタの一体型締付バンドを提供すること。【解決手段】  タバコ箱１とライタ２を取り囲む帯体４と、該帯体４の一部に取り付けた硬質体５と、で締付バンド３を構成し、該締付バンド３でタバコ箱１とライタ２を一体に保持させる。硬質体５は帯体に比べ把持しやすいので、ライタ２の挿脱がし易い。【選択図】  図１
2006017382.tif 000002
【特許請求の範囲】
【請求項１】
タバコ箱とライタを一体に保持する締付バンドであって、前記締付バンドはタバコ箱とライタを取り囲む帯体と、該帯体の一部に取り付けた硬質体とで構成されたことを特徴とするタバコ箱とライタの一体型締付バンド。
【請求項２】
前記帯体の両端部が硬質体にそれぞれ連結されている請求項１に記載のタバコ箱とライタの一体型締付バンド。
【請求項３】
前記硬質体は開閉自在の一対の挟持片からなる請求項１または２に記載のタバコ箱とライタの一体型締付バンド。
【請求項４】
前記挟持片には係止突起が形成されている請求項３に記載のタバコ箱とライタの一体型締付バンド。
【請求項５】
少なくとも前記帯体の一方側が前記硬質体に長さ調整可能に取り付けられている請求項１乃至４のいずれかに記載のタバコ箱とライタの一体型締付バンド。
【請求項６】
前記硬質体と前記帯体の幅が略均等に形成され、前記硬質体の厚みが薄く形成されている請求項１乃至５のいずれかに記載のタバコ箱とライタの一体型締付バンド。
【発明の詳細な説明】
【技術分野】
【０００１】
本発明は、タバコ箱とライタを一体にする締付バンドに関する。
【背景技術】
【０００２】
従来、一枚の金属板を屈曲させてライタの保持部とタバコ箱の上下に引っ掛ける係止片を形成させタバコ箱とライタの止め具を構成し、タバコ箱の側端部の上部に上方の係止片を係止させ、タバコ箱の側端部の下部に下方の係止片を屈曲させてタバコ箱を支え、保持部にライタを保持させることで、タバコ箱とライタを一体にして携帯可能になっていた（例えば、特許文献１参照）。
【０００３】
【特許文献１】特開平１０−２８１４６７号公報（段落０００６、第１−２図）
【発明の開示】
【発明が解決しようとする課題】
【０００４】
しかしながら、特許文献１のタバコ箱とライタの止め具にあっては、タバコ箱やライタの大きさによっては、新たにそのサイズに合う別の大きさのタバコ箱とライタの止め具を用意する必要があった。また、タバコ箱とライタの止め具の再利用を行う際には、タバコ箱を支えている係止片の曲げた部分を元の状態に戻す必要があり手間が掛かると同時に、繰り返し使用していると曲げた部分が徐々に劣化して強度が弱められるとともに、係止片が折れてしまう恐れもあった。
【０００５】
本発明は、このような問題点に着目してなされたもので、多種多様な大きさのタバコ箱及びライタに対応して容易にタバコ箱とライタを一体にして保持でき、かつ着脱が簡便で繰り返し使用可能なタバコ箱とライタの一体型締付バンドを提供することを目的とする。
【課題を解決するための手段】
【０００６】
上記課題を解決するために、本発明の請求項１に記載のタバコ箱とライタの一体型締付バンドは、タバコ箱とライタを一体に保持する締付バンドであって、前記締付バンドはタバコ箱とライタを取り囲む帯体と、該帯体の一部に取り付けた硬質体とで構成されたことを特徴としている。
この特徴によれば、締付バンドを利用することで、帯体によって多種多様な大きさのタバコ箱及びライタに対応して、容易にタバコ箱とライタを一体にして保持できるとともに、硬質体を把持してライタの挿脱を簡便に行えることから、新たな締付バンドを用意することなく繰り返し利用できる。
【０００７】
本発明の請求項２に記載のタバコ箱とライタの一体型締付バンドは、請求項１に記載のタバコ箱とライタの一体型締付バンドであって、前記帯体の両端部が硬質体にそれぞれ連結されていることを特徴としている。
この特徴によれば、帯体と硬質体を連結させるだけで締付バンドを構成でき、締付バンドの製造が容易に行える。
【０００８】
本発明の請求項３に記載のタバコ箱とライタの一体型締付バンドは、請求項１または２に記載のタバコ箱とライタの一体型締付バンドであって、前記硬質体は開閉自在の一対の挟持片からなることを特徴としている。
この特徴によれば、挟持片を開放して帯体の長さを調整できるので、適宜タバコ箱及びライタのサイズに合わせた締付バンドを構成できる。
【０００９】
本発明の請求項４に記載のタバコ箱とライタの一体型締付バンドは、請求項３に記載のタバコ箱とライタの一体型締付バンドであって、前記挟持片には係止突起が形成されていることを特徴としている。
この特徴によれば、帯体を係止突起で確実に挟持させることができ、硬質体と帯体の連結強度をさらに高めることができる。
【００１０】
本発明の請求項５に記載のタバコ箱とライタの一体型締付バンドは、請求項１乃至４のいずれかに記載のタバコ箱とライタの一体型締付バンドであって、少なくとも前記帯体の一方側が前記硬質体に長さ調整可能に取り付けられていることを特徴としている。
この特徴によれば、タバコ箱及びライタを帯体で囲繞した後に、帯体の長さ調整を行えるので、タバコ箱とライタの締め付けをより確実に行える。
【００１１】
本発明の請求項６に記載のタバコ箱とライタの一体型締付バンドは、請求項１乃至５のいずれかに記載のタバコ箱とライタの一体型締付バンドであって、前記硬質体と前記帯体の幅が略均等に形成され、前記硬質体の厚みが薄く形成されていることを特徴としている。
この特徴によれば、硬質体の幅が帯体の幅と略等しく、しかも硬質体の厚みが薄いので一体にされたタバコ箱とライタを携帯する利用者に締付バンドの違和感を生じさせない。
【発明を実施するための最良の形態】
【００１２】
本発明の実施例を以下に説明する。
【実施例１】
【００１３】
図1は、本発明の実施例１におけるタバコ箱とライタを締付バンドで一体にした斜視図であり、図２は、締付バンドの全体構造を示す斜視図であり、図３は、硬質体に帯体を取り付ける過程を示す斜視図であり、図４は、図３のＡ−Ａ線を示す断面図である。
【００１４】
本発明の実施例１を図面に基づいて説明すると、この締付バンド３は、収縮弾性力のある帯体４と、硬質プラスチック材から成型された硬質体５とから構成され、タバコ箱１およびライタ２の周囲を帯体４で囲繞するようにして取り付けられており、タバコ箱１と締付バンド３の間にはライタ２が設けられている。
【００１５】
このライタ２のタバコ箱１への取り付け方法については特に図示しないが、まず利用者によって硬質体５の上下端が把持されて若干前方に引き出されることで、帯体４とタバコ箱１の正面に隙間を生じさせ、ライタ２を隙間に向かって挿通させていくことで取り付けられ、帯体４の収縮弾性力によりタバコ箱１にライタ２がしっかりと保持されている。
【００１６】
さらに、帯体４の収縮弾性力により、一度もライタ２をタバコ箱１と締付バンド３から取り出すことなく、タバコ箱１の側面側にライタ２を移動させることもできる。ライタ２をタバコ箱１の側面で保持させると、ライタ２は３面が帯体４で囲まれることになり移動が阻止されて収まりがよい。ライタ２の位置をどこにするかは、ライタのサイズやタバコの箱形状を考慮して、適宜利用者が好む位置に移動させることができる。
【００１７】
締付バンド３の構造について詳細に説明すると、図２に示されるように、帯体４は収縮弾性力に優れた一本のゴムバンドから構成され、硬質体５は一対の挟持片６、７によって構成されており、帯体４の両端部が挟持片６、７の間に挟持されることで連結され環状に形成されている。
【００１８】
挟持片６の正面側には表示部６ｃが設けられキャラクターがデザインされ印刷されているが、本発明はこれに限定されるものではなく、例えば表示部６ｃに商品キャンペーン用の広告や各種案内等を形成させても良いし、シール等を貼付しても良い。この硬質体５と前述の帯体４の上下幅は略均等に形成されており、硬質体５の前後の厚みも薄く形成されていることから、実際に利用者が一体にされたタバコ箱とライタを携帯している際に締付バンドの違和感を生じさせない構成になっている。このように、収縮弾性力のある帯体４によって、タバコ箱１とライタ２が一体にされ保持されるとともに、硬質体５の把持によりライタ２の挿脱を簡便に行える。
【００１９】
帯体４の硬質体５への連結方法を図３および図４を用いて具体的に説明する。図３に示されるように、硬質体５の挟持片６および挟持片７は互いの後端部６ｂ、７ｂが連結され開閉自在に一対に成型されている。挟持片６と挟持片７が対向する面にはそれぞれ複数の係止突起８が設けられている。挟持片６の前端部６ａには左右に離間され上下方向に貫通する係合孔１０が形成され、挟持片７の前端部７ａには左右に離間され上方に向けて係合片９が延設されている。
【００２０】
そこで、帯体４を硬質体５に連結させるには、両端部４ａ、４ｂを挟持片７に載置させ、帯体４の長さ調整をおこなったのち、挟持片６の前端部６ａを前端部７ａに向けて（矢印に示される方向）移動させていくことで、図４に示されるように係止片９に係合孔１０が係止されて挟持片６が閉塞されるとともに、帯体４（両端部４ａ、４ｂ）が挟持片６と挟持片７に設けられた複数の係止突起８に噛み込まれて位置固定される。
【００２１】
このように、挟持片６、７には係止突起８が形成されているので、帯体４を係止突起８で確実に挟持させることができ、硬質体５と帯体４の連結強度をさらに高めることができる。なお、硬質体５から帯体４の連結を解除するには、挟持片６の係合孔１０の表示部６ｃ側からドライバー等を挿し込みで係止片９の係止状態を解除させるだけで、容易に挟持片６が開放され、帯体４（両端部４ａ、４ｂ）の取り外しを行えるようになっている。
【００２２】
このことから、帯体４と硬質体５を連結させるだけで締付バンド３を構成でき、容易に締付バンド３の製造が行える。しかも挟持片６の開放時に帯体４の長さ調整を行えるので、適宜タバコ箱１及びライタ２のサイズに合わせた締付バンド３が得られる。
【００２３】
以上の説明により実施例１では、締付バンド３を利用することで多種多様な大きさのタバコ箱１及びライタ２に対応して、容易にタバコ箱１とライタ２を一体にして保持でき、かつ着脱も簡便であるので、新たな締付バンドを用意することなく繰り返し利用できるようになっている。
【実施例２】
【００２４】
次に、本発明の実施例２を図５に基づいて説明する。図５（ａ）は、実施例２における締付バンドを示す断面図であり、図５（ｂ）は、帯体の長さ調整の過程を示す断面図であり、図５（ｃ）は、タバコ箱とライタを締付バンドで一体にした断面図である。
【００２５】
なお、以下の実施例２において前述の実施例１と同様の構造部分に関しては、同一の符号を付すことにより詳細な説明は省略することにする。まず、図５（ａ）に示されるように、締付バンド１３は挟持片１６と挟持片１７とロック片１９から成る硬質体１５と帯体４で構成され、挟持片１６の後端部１６ｂとロック片１９の一端が挟持片１７の軸部１７ｂに軸支されている。
【００２６】
挟持片１６、１７の前端部１７ａ、１７ａの対向面には、それぞれ係止突起８が設けられている。一方、挟持片１７の後端部１７ｃ内には帯止め軸１７ｄが２つ形成され、帯体４の端部４ａが帯止め軸１７ｄに沿って折り返され、端部４ａの先端が外方に延出されている。帯体４の挟持片１７近傍には止め具１４が連通され取り付けられている。
【００２７】
そこで、帯体４の端部４ｂを挟持片１６、１７間に配置させ、ロック片１９を矢印方向に回動させていくことで、図５（ｂ）に示されるように、ロック片１９が後端部１６ｂの所定位置で固定され、端部４ｂを挟持片１６、１７の係止突起８に噛み込ませて位置固定させ、輪状に形成された帯体４をタバコ箱１及びライタ２に囲繞させる。
【００２８】
そして、図５（ｃ）に示されるように、利用者によって端部４ａの先端が矢印に示される方向に引っ張られることで帯体４の長さが調整され、タバコ箱１及びライタ２が確実にかつ強固に一体にされ保持される。
【００２９】
つまり、タバコ箱１及びライタ２を帯体４で囲繞した後に、帯体４の長さ調整を行えるので、タバコ箱１とライタ２の締め付けをより確実に行える。端部４ａの先端は止め具１４内に挿通され、挟持片１７近傍の帯体４と一緒に束ねられている。
【００３０】
帯体４による締め付けの解除を行うには、ロック片１９を後端部１６ｂから外方に跳ね上げるだけでよく、挟持片１７から挟持片１６が離間され帯体４の端部４ｂの固定が外れ、タバコ箱１及びライタ２の締め付けが解除される。
【００３１】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、帯体４の端部４ａ、４ｂを係止突起８で噛み合わせ硬質体５に連結固定しているが、本発明はこれに限定されるものではなく、帯体４の端部４ａ、４ｂを硬質体５に接着剤等で連結させるようにしても良いし、帯体をリング状にしてその表面の一部に硬質体を無為付けや接着剤で固定させるようにしたものであっても良い。
【００３２】
また、上記実施例では、帯体４を収縮弾性力に優れたゴムバンドで構成することから製造コストの低減を行えることから好ましいが、本発明はこれに限定されるものではなく、帯体４に金属製のバネバンド等を用いても良いし、また２本の布をゴムバンド等の弾性部材で連結させ、収縮弾性力のある帯体を構成するようにしても良い。
【００３３】
また、上記実施例では、硬質体５の厚みを薄く形成することで、一体にされたタバコ箱１とライタ２を携帯する利用者に締付バンド３の違和感を生じさせないことから好ましいが、本発明はこれに限定されるものではなく、締付バンド３を利用して商品ＰＲ等を行う場合には、硬質体５の表面部６ｃに隆起させるようにオリジナルキャラクタ等を設けるようにしても良い。
【図面の簡単な説明】
【００３４】
【図１】本発明の実施例１におけるタバコ箱とライタを締付バンドで一体にした斜視図である。
【図２】締付バンドの全体構造を示す斜視図である。
【図３】硬質体に帯体を取り付ける過程を示す斜視図である。
【図４】図３のＡ−Ａ線を示す断面図である。
【図５】（ａ）は、実施例２における締付バンドを示す断面図であり、（ｂ）は、帯体の長さ調整の過程を示す断面図であり、（ｃ）は、タバコ箱とライタを締付バンドで一体にした断面図である。
【符号の説明】
【００３５】
１                タバコ箱
２                ライタ
３                締付バンド
４                帯体
４ａ、４ｂ        端部
５                硬質体
６                挟持片
６ａ              前端部
６ｂ              後端部
６ｃ              表示部
７                挟持片
７ａ              前端部
７ｂ              後端部
８                係止突起
９                係合片
１０              係合孔
１３              締付バンド
１４              止め具
１５              硬質体
１６              挟持片
１６ａ            前端部
１６ｂ            後端部
１７              挟持片
１７ａ            前端部
１７ｂ            軸部
１７ｃ            後端部
１７ｄ            帯止め軸
１９              ロック片
【図１】
2006017382.tif 000003
【図２】
2006017382.tif 000004
【図３】
2006017382.tif 000005
【図４】
2006017382.tif 000006
【図５】
2006017382.tif 000007